(57)【特許請求の範囲】
【請求項１】
アスファルト舗装の表面部分に生じたひび割れを補修するためのひび割れ補修方法であって、
ひび割れが生じた部分を含むアスファルト舗装の帯状の補修領域に、揮発性有機溶剤と結合剤とを含むバインダ材を供給すると共に、前記ひび割れが生じた部分を含む帯状の補修領域のアスファルト舗装を、外周面に多数のカッタービットを備えるカッタードラムを回転させながら、前記補修領域に食い込ませることにより切削して、切削された前記補修領域のアスファルトの切削残材を、カッタードラムの回転方向の後方側において前記バインダ材と共に混合して、ほぐされた状態で堆積させ、堆積している切削残材のアスファルト分が前記バインダ材の揮発性有機溶剤と反応することで軟化した後に、ほぐされた状態の切削残材を、切削された前記ひび割れが生じた部分を含む帯状の前記補修領域に敷き均し、転圧して硬化させることにより、アスファルト舗装の表面部分のひび割れを補修するアスファルト舗装のひび割れ補修方法。
【請求項２】
前記揮発性有機溶剤と結合剤とを含むバインダ材は、前記ひび割れが生じた部分を含むアスファルト舗装の補修領域に、当該補修領域を切削するのに先立って塗布することにより供給される請求項１記載のアスファルト舗装のひび割れ補修方法。
【請求項３】
前記ひび割れが生じた部分を含むアスファルト舗装の補修領域は、９〜３００ｍｍの切削幅で切削される請求項１又は２記載のアスファルト舗装のひび割れ補修方法。
【発明の詳細な説明】
【技術分野】
【０００１】
本発明は、アスファルト舗装の表面部分に生じたひび割れを補修するためのアスファルト舗装のひび割れ補修方法に関する。
【背景技術】
【０００２】
例えば道路の表層を構成するアスファルト舗装の表面部分にひび割れ（クラック）が生じると、景観を損なうことになると共に、小規模なひび割れであっても、やがては大きくなって、車両や歩行者の通行の障害になるおそれがあることから、早急に補修する必要がある。
【０００３】
このため、アスファルト舗装の表面部分に生じたひび割れを補修する方法や装置として、例えば、高圧水によってひび割れを洗浄したり、圧縮空気によってひび割れの清掃や、乾燥、埃の同時処理を行った後に、洗浄や清掃を行ったひび割れの内部に、シーリング材等の充填物を充填することで、ひび割れを補修するようにしたものが一般的に知られている（例えば、特許文献１、特許文献２参照）。
【先行技術文献】
【特許文献】
【０００４】
【特許文献１】特開２００３−１８４０２６号公報
【特許文献２】特開２００８−１０１３６１号公報
【発明の概要】
【発明が解決しようとする課題】
【０００５】
しかしながら、アスファルト舗装の表面部分に生じたひび割れを補修する従来の方法や装置によれば、ひび割れの内部に、シーリング材等の充填物が注入されるため、見た目上、シーリング材等によってひび割れの補修箇所が強調されることになって、依然として景観を損ない易い。また、注入すべきシーリング材等の充填物の量を調整することが難しく、注入量が少な過ぎるとひび割れが拡大し易くなり、注入量が多過ぎると、シーリング材等の充填物がひび割れから溢れ出たまま硬化することで、硬化したシーリング材等が剥がれ易くなる。
【０００６】
本発明は、充填物を充填する必要をなくして、ひび割れの補修箇所を目立たなくすることができると共に、充填物の過不足を生じることがなく、またアスファルト舗装の表面部分に生じたひび割れを簡易に且つ効果的に補修することのできるアスファルト舗装のひび割れ補修方法を提供することを目的とする。
【課題を解決するための手段】
【０００７】
本発明は、アスファルト舗装の表面部分に生じたひび割れを補修するためのひび割れ補修方法であって、ひび割れが生じた部分を含むアスファルト舗装の帯状の補修領域に、揮発性有機溶剤と結合剤とを含むバインダ材を供給すると共に、前記ひび割れが生じた部分を含む帯状の補修領域のアスファルト舗装を、外周面に多数のカッタービットを備えるカッタードラムを回転させながら、前記補修領域に食い込ませることにより切削して、切削された前記補修領域のアスファルトの切削残材を、カッタードラムの回転方向の後方側において前記バインダ材と共に混合して、ほぐされた状態で堆積させ、堆積している切削残材のアスファルト分が前記バインダ材の揮発性有機溶剤と反応することで軟化した後に、ほぐされた状態の切削残材を、切削された前記ひび割れが生じた部分を含む帯状の前記補修領域に敷き均し、転圧して硬化させることにより、アスファルト舗装の表面部分のひび割れを補修するアスファルト舗装のひび割れ補修方法を提供することにより、上記目的を達成したものである。
【０００８】
そして、本発明のアスファルト舗装のひび割れ補修方法は、前記揮発性有機溶剤と結合剤とを含むバインダ材が、前記ひび割れが生じた部分を含むアスファルト舗装の補修領域に、当該補修領域を切削するのに先立って塗布することにより供給されることが好ましい。
【００１０】
さらに、本発明のアスファルト舗装のひび割れ補修方法は、前記ひび割れが生じた部分を含むアスファルト舗装の補修領域が、９〜３００ｍｍの切削幅で切削されることが好ましい。
【発明の効果】
【００１１】
本発明のアスファルト舗装のひび割れ補修方法によれば、充填物を充填する必要をなくして、ひび割れの補修箇所を目立たなくすることができると共に、充填物の過不足を生じることがなく、またアスファルト舗装の表面部分に生じたひび割れを簡易に且つ効果的に補修することができる。
【図面の簡単な説明】
【００１２】
【図１】（ａ）〜（ｄ）は、本発明の好ましい一実施形態に係るアスファルト舗装のひび割れ補修方法を説明する略示横断面図である。
【図２】ひび割れが生じた部分を含む補修領域のアスファルト舗装を切削する状況を説明する略示縦断面図である。
【発明を実施するための形態】
【００１３】
本発明の好ましい一実施形態に係るアスファルト舗装のひび割れ補修方法は、図１（ａ）〜（ｄ）に示すように、路床（図示せず）と、路盤１１と、表層のアスファルト舗装１０とからなる、例えば道路を形成するための舗装構造において、表層のアスファルト舗装１０にひび割れ（クラック）１２が生じた際に、生じたひび割れ１２を簡易に且つ効率良く補修できるようにするための方法として採用されたものである。また、本実施形態のアスファルト舗装のひび割れ補修方法は、ひび割れ１２に充填するためのシーリング材等の充填物を用いることなく、アスファルト舗装１０のアスファルト分を軟化させることが可能な揮発性有機溶剤を用いて、ひび割れ１２が生じた部分を含むアスファルト舗装１０の補修領域１３を一体として補修することで、ひび割れ１２の補修箇所を目立たなくする機能を備える。
【００１４】
そして、本実施形態のアスファルト舗装のひび割れ補修方法は、アスファルト舗装１０の表面部分に生じたひび割れ１２を補修するためのひび割れ補修方法であって、ひび割れ１２が生じた部分を含むアスファルト舗装１０の補修領域１３に、揮発性有機溶剤と結合剤とを含むバインダ材１４を塗布したり混合したり散布したりすることによって供給すると共に（図１（ｂ）参照）、ひび割れ１２が生じた部分を含む補修領域１３のアスファルト舗装１０を切削して、切削された補修領域１３の切削残材１５とバインダ材１４とを混合することで、切削残材１５のアスファルト分をバインダ材１４の揮発性有機溶剤によって軟化させた後に（図１（ｃ）参照）、バインダ材１４と混合した切削残材１５を、切削されたひび割れ１２が生じた部分を含む補修領域１３に敷き均し、転圧して硬化させることにより（図１（ｄ）参照）、アスファルト舗装１０の表面部分のひび割れを補修するようになっている。
【００１５】
また、本実施形態では、揮発性有機溶剤と結合剤とを含むバインダ材１４は、ひび割れ１２が生じた部分を含むアスファルト舗装１０の補修領域１３に、当該補修領域１３を切削するのに先立って塗布することにより供給されるようになっている（図１（ｂ）参照）。
【００１６】
さらに、本実施形態では、ひび割れ１２が生じた部分を含むアスファルト舗装１０の補修領域１３のアスファルト舗装１０の切削は、図２に示すように、例えば外周面に多数のカッタービット１６ａを備えるカッタードラム１６を回転させながら、補修領域１３に食い込ませることによって行われるようになっている。
【００１７】
本実施形態では、アスファルト舗装１０は、例えば３０〜２００ｍｍ程度の厚さを有しており、これの表面部分を含む全体の厚さに亘って、例えば１〜２０ｍｍ程度の幅のひび割れ（クラック）１２が生じている。本実施形態では、このようなひび割れ１２が生じた部分を含むアスファルト舗装１０の補修領域１３として、好ましくは９〜３００ｍｍ程度の切削幅の帯状領域に対して、特殊なバインダ材１４を用いてひび割れ１２の補修を行うようになっている。ここで、切削幅が９ｍｍよりも小さいと、施工が困難になり、また切削幅を３００ｍｍよりも小さくすることで、例えば大型車のタイヤの接地幅よりも小さな幅で、ひび割れ１２の補修を行うことが可能になる。
【００１８】
本実施形態では、ひび割れ１２が生じた部分を含むアスファルト舗装１０の補修領域１３に塗布される特殊なバインダ材として、揮発性有機溶剤と結合剤とを含むバインダ材１４が用いられる。バインダ材１４を構成する揮発性有機溶剤としては、アスファルト舗装１０のアスファルト分と反応してこれを軟化する機能を備えると共に、揮発した後はアスファルト分を再び硬化させる機能を備える溶剤として公知の、各種の有機溶剤を用いることができる。このような揮発性有機溶剤としては、スチレン系有機溶剤等を挙げることができる。
【００１９】
また、バインダ材１４を構成する結合剤は、アスファルト舗装１０のアスファルト分による結合剤としての機能を補完するもので、一般のアスファルトや特殊アスファルトの他、エポキシ樹脂、ウレタン樹脂等を用いることができる。
【００２０】
本実施形態では、揮発性有機溶剤と結合剤とを含むバインダ材１４は、施工が容易な点、及び当該バインダ材１４によって、切削すべきアスファルト舗装１０の補修領域１３を明示できる点から、ひび割れ１２が生じた部分を含む補修領域１３に、当該補修領域１３を切削するのに先立って、予め塗布しておくことが好ましい。揮発性有機溶剤と結合剤とを含むバインダ材１４は、ひび割れ１２が生じた部分を含むアスファルト舗装１０の補修領域１３を切削する際に、切削しながら補修領域１３にバインダ材１４を混合、散布等することによって供給することもできる。
【００２１】
本実施形態では、ひび割れ１２が生じた部分を含む補修領域１３のアスファルト舗装１０の切削は、例えば特開２００３−２５３６１７号公報に記載の路面切削機や、特開２００７−３３２６０４号公報に記載の路面切削機のような、公知の各種の切削機を用いて行うことができる。本実施形態では、図２に示すように、車体の幅方向に延びるカッタードラム１６の外周面に多数のカッタービット１６ａを設けると共に、その周囲を金属板などからなるカッターフレーム１７で覆った路面切削機を用いることができる。図２に示す路面切削機では、例えばカッタードラム１６を油圧によって回転駆動させると共に、左右の昇降用油圧シリンダによって、ひび割れ１２が生じた部分を含む補修領域１３のアスファルト舗装１０に対して昇降させることで、外周面に設けられたカッタービット１６ａによって、ひび割れ１２が生じた部分を含む補修領域１３のアスファルト舗装１０を、任意の厚さで削り取ることができるようになっている。また、カッタードラム１６の幅を調整することで、ひび割れ１２が生じた部分を含む補修領域１３に対する切削幅を、任意に調整することが可能になる。
【００２２】
本実施形態では、ひび割れ１２が生じた部分を含む補修領域１３のアスファルト舗装１０は、ひび割れ１２が、アスファルト舗装１０の表面部分を含む全体の厚さに亘って生じていることから、路面切削機のカッタードラム１６によって、表面部分を超えて路盤１１に至る深さまで切削されると共に、切削されたアスファルト舗装１０の切削残材１５は、路面切削機の移動方向の後方側である、カッタードラム１６の回転方向の後方側の切削溝１８の内部において、ひび割れ１２が生じた部分を含む補修領域１３に塗布されたバインダ材１４と共に混合されて、ほぐされた状態で堆積する(図１（ｃ）、図２参照)。
【００２３】
路面切削機のカッタードラム１６の後方の切削溝１８に、バインダ材１４と共に混合されて、ほぐされた状態で堆積している切削残材１５は、これのアスファルト分がバインダ材１４の揮発性有機溶剤と反応することで一時的に軟化するので、必要に応じてさらに作業員によって切削残材１５とバインダ材１４とを混合したり、適宜結合剤や骨材等を追加投入して混合してから、軟化してほぐされた状態の切削残材１５を、路面切削機のカッタードラム１６の後方の切削溝１８において、敷き均すと共にレーキ等を用いて整正した後に、例えばビブロプレートやハンドガイドローラ等の転圧装置１９を用いて転圧することによって（図１（ｄ）参照）、補修作業が完了する。
【００２４】
また、切削溝１８において転圧された、バインダ材１４と混合された切削残材１５は、時間の経過と共に揮発性有機溶剤が揮発することで硬化して、ひび割れ１２を埋めて補修した状態で、周囲のアスファルト舗装１０と一体となった舗装構造を形成する。
【００２５】
これらによって、本実施形態のアスファルト舗装のひび割れ補修方法によれば、シーリング材等の充填物を充填する必要をなくして、ひび割れの補修箇所を目立たなくすることができると共に、充填物の過不足を生じることがなく、またアスファルト舗装１０の表面部分に生じたひび割れ１２を簡易に且つ効果的に補修することが可能になる。
【００２６】
なお、本発明は上記実施形態に限定されることなく種々の変更が可能である。例えば、ひび割れが生じた部分を含むアスファルト舗装の補修領域は、アスファルト舗装の全体の厚さに亘って切削して補修する必要は必ずしもなく、ひび割れが生じた深さに応じて、少なくとも表面部分を切削して補修することができる。
【符号の説明】
【００２７】
１０  アスファルト舗装
１１  路盤
１２  ひび割れ
１３  補修領域
１４  バインダ材
１５  切削残材
１６  カッタードラム
１６ａ  カッタービット
１７  カッターフレーム
１８  切削溝
１９  転圧装置
【図１】
0006000918.tif 000002
【図２】
0006000918.tif 000003